(57)【要約】【課題】老朽化した既設の下水管の内壁に合成樹脂製の更生管をライニングする下水管更生工法において、下水管に合流する枝管との合流口を、該合流口に対応して更生管に開設した連通口と共に閉塞してグラウト材の更生管への流入と枝管内を流下する下水のグラウト材への混入を阻止し、同時に枝管からの下水を更生管へ排水させる様にした排水路付き閉塞栓を提供する。【解決手段】排水路付き閉塞栓１は、前後端に流出入口2a、2bを設けた可撓性を有する排水導管２の周囲に空気の流出入で膨縮自在な内装バッグ３を設け、該内装バッグ３を膨張規制と防護用の外装バッグ４で被包し、該外装バッグ４外周に厚み方向に弾性を有するスリーブ５を周着する。【選択図】図５
2018128092.tif 000002
【特許請求の範囲】
【請求項１】
前端に流出口を、後端に流入口を設けた可撓性を有する排水導管と、該排水導管の周囲に空気の流出入で膨縮自在に設けた内装バッグと、該内装バッグの膨張規制と防護用にこれを被包する外装バッグと、該外装バッグ外周に周着した厚み方向に弾性を有するスリーブとから成ることを特徴とする排水路付き閉塞栓。
【請求項２】
排水導管の前端は内装バッグ及び外装バッグより前方へ若干突出し、流出口周囲には外周面が全体に丸みを帯びたカバーリングを設けたことを特徴とする請求項１記載の排水路付き閉塞栓。
【請求項３】
外装バッグは内装バッグに着脱自在に貼着したことを特徴とする請求項１又は２記載の排水路付き閉塞栓。
【請求項４】
スリーブは外装バッグに着脱自在に貼着したことを特徴とする請求項１、２又は３記載の排水路付き閉塞栓。
【発明の詳細な説明】
【技術分野】
【０００１】
本発明は、老朽化した既設の下水管の内壁に合成樹脂製の更生管をライニングする下水管更生工法において、下水管に合流する枝管との合流口を、該合流口に対応して更生管に開設した連通口と共に閉塞し、且つ枝管からの下水を更生管へ排水させる様にした排水路付き閉塞栓に関する。
【背景技術】
【０００２】
特許文献１には、老朽化した既設の下水管の内壁に合成樹脂製の更生管をライニングする下水管更生工法が開示されている。
【０００３】
この工法では、先ず下水管内に更生管が挿入され、該更生管を下水管の内壁に密着してライニングする。
【０００４】
続いて、上記下水管に接続されている枝管内において、その下流の下水管との合流口近傍を密栓し、下水管の内部から、更生管において前記合流口に対応する部位に小孔を開設し、該小孔からグラウト材を圧入する。
【０００５】
グラウト材は、下水管の内壁面とこれに密着している更生管の外壁面との間に滲入し、グラウト材が硬化した後、密栓を取り外し、枝管側から、更生管において合流口に対応する部位が開設され、枝管と下水管内に既にライニングされている更生管とを連通させている。
【先行技術文献】
【特許文献】
【０００６】
【特許文献１】特開２００２−５２６１２号公報
【発明の概要】
【発明が解決しようとする課題】
【０００７】
上記工法では、グラウト材が硬化するまでの長時間にわたって密栓によって枝管内の下水の下水管への流下が阻止されることになる。
すると、止水により枝管の上流側の水位が高まって支障を来すおそれがあり、このため枝管の上流側に接続された下水道利用者に長時間にわたって排水制限が課せられることがあるなどの課題を有していた。
【０００８】
そこで、本発明では、老朽化した既設の下水管の内壁に合成樹脂製の更生管をライニングする下水管更生工法において、下水管に合流する枝管との合流口を、該合流口に対応して更生管に開設した連通口と共に閉塞してグラウト材の更生管への流入と枝管内を流下する下水のグラウト材への混入を阻止し、同時に枝管からの下水を更生管へ排水させる様にした排水路付き閉塞栓を提供することを目的としている。
【課題を解決するための手段】
【０００９】
上記課題に鑑み、本発明の排水路付き閉塞栓は、前端に流出口を、後端に流入口を設けた可撓性を有する排水導管と、該排水導管の周囲に空気の流出入で膨縮自在に設けた内装バッグと、該内装バッグの膨張規制と防護用にこれを被包する外装バッグと、該外装バッグ外周に周着した厚み方向に弾性を有するスリーブとから成ることを特徴とする。
又、排水導管の前端は内装バッグ及び外装バッグより前方へ若干突出し、流出口周囲には外周面が全体に丸みを帯びたカバーリングを設けたことを特徴とする。
更に、外装バッグは内装バッグに着脱自在に貼着したり、スリーブは外装バッグに着脱自在に貼着したことを特徴とする。
【発明の効果】
【００１０】
要するに本発明に係る排水路付き閉塞栓（以下、閉塞栓とも称する。）は、老朽化した既設の下水管の内壁に合成樹脂製の更生管をライニングする下水管更生工法において使用されるものにして、前後端に流出入口を設けた可撓性を有する排水導管の周囲に空気の流出入で膨縮自在な内装バッグを設け、該内装バッグを膨張規制と防護用の外装バッグで被包し、該外装バッグ外周に厚み方向に弾性を有するスリーブを周着したので、下水管内に挿入した更生管が下水管内壁にライニングされ、下水管に合流する枝管との合流口に対応して更生管に連通口が開設された状態で、内装バッグを外装バッグとスリーブと共に排水導管に密着する様に収縮させて枝管の汚水枡等の上流口から投入すると、閉塞栓は、前記の通り内装バッグ、外装バッグ及びスリーブが収縮して排水導管を中心に密着した略筒型と化しており、その中心に位置する排水導管が可撓性を有して蛇行が容易なため、難なく枝管内を流下させられ、下流の下水管との合流口に簡単容易に到達させることができる。
そして、合流口内に閉塞栓を配置させた状態で内装バッグに空気を供給してその外側の外装バッグとスリーブと共に膨張させると、外装バッグ外周に設けた厚み方向に弾性を有するスリーブが例え合流口及び連通口が歪に開口していても夫々の内面形状に対応して変形し圧着されるため、合流口及び連通口を隙間無く水密状に閉塞し、下水管と更生管との間隙を枝管と水密状に隔絶でき、その間隙への下水の浸入を阻止でき、次工程である前記間隙へのグラウト材注入作業を支障なく進行でき、下水管に更生管を一体的に接着できると共に、排水導管によって枝管と下水管内にライニング中の更生管とが連通して、枝管からの排水を前記グラウト材注入作業からグラウト材の硬化までの間も継続できるので、従来生じていた止水による支障等を解消できる。
【００１１】
排水導管の前端は内装バッグ及び外装バッグより前方へ若干突出し、流出口周囲には外周面が全体に丸みを帯びたカバーリングを設けたので、内装バッグを外装バッグとスリーブと共に排水導管に密着する様に収縮させて略筒型と化した閉塞栓を枝管の上流口から投入して枝管内を流下させると、前方に突き出るカバーリングはその外形特性により枝管内面に生ずる継ぎ目や付着堆積物による凹凸に引っ掛かることなく、先行して閉塞栓本体を枝管下流へと案内できると共に、排水導管は蛇行が容易な可撓性を有することも相俟って閉塞栓を枝管下流の合流口へ手間無く円滑に到達させることができる。
【００１２】
外装バッグは内装バッグに着脱自在に貼着したので、内装バッグと一体化でき、該内装バッグの膨縮にスリーブと共に追従できる。
特に、作業終了後、手の届かない枝管内からの回収時にも、枝管投入時と同様に排水導管に密着する様に収縮させられるので、速やかで円滑な回収作業が行える。
そして、回収後において、スリーブと共に外装バッグを取り外して新規な外装バッグを内装バッグに取り付ければ、閉塞栓の再使用が可能で経済的である。
【００１３】
スリーブは外装バッグに着脱自在に貼着したので、閉塞栓の回収後、外装バッグが再度の使用が可能な場合には、スリーブのみを取り外して新規なスリーブを外装バッグに取り付ければ、閉塞栓の再使用が可能でより経済的である等その実用的効果甚だ大である。
【図面の簡単な説明】
【００１４】
【図１】本発明に係る排水路付き閉塞栓の側面図である。
【図２】同上断面図である。
【図３】同上前方の半断面図である。
【図４】同上後方の半断面図である。
【図５】同上使用状態を示す断面図である。
【図６】排水路付き閉塞栓の変形例を示す側面図である。
【図７】同上断面図である。
【図８】同上前方の半断面図である。
【図９】同上後方の半断面図である。
【図１０】同上使用状態を示す断面図である。
【発明を実施するための形態】
【００１５】
以下本発明の実施の一形態例を図面に基づいて説明する。
本発明に係る排水路付き閉塞栓１（以下、閉塞栓１と称する。）は、老朽化した既設の下水管Ｄの内壁に合成樹脂製の更生管Ｒをライニングする下水管更生工法において使用されるものであって、下水管Ｄに合流する枝管Ｂとの合流口Ｃを、該合流口Ｃに対応して更生管Ｒに開設した連通口R1と共に閉塞して下水管Ｄと更生管Ｒとの間隙Ｓに注入されるグラウト材（図示せず）の更生管Ｒへの流入と枝管Ｂ内を流下する下水のグラウト材への混入を阻止し、同時に枝管Ｂからの下水を更生管Ｒへ排水させる様にしたものである。
【００１６】
この閉塞栓１は、前端に流出口2aを、後端に流入口2bを設けた可撓性を有する排水導管２と、該排水導管２の周囲に空気の流出入で膨縮自在に設けた内装バッグ３と、該内装バッグ３の膨張規制と防護用にこれを被包する外装バッグ４と、該外装バッグ４外周に周着した厚み方向に弾性を有する発泡ウレタンゴム等の合成ゴム製のスリーブ５とから主に構成している。
【００１７】
排水導管２は、枝管Ｂよりも小径な所定口径と所定長さを有する軟質塩化ビニルなどの軟質な合成樹脂製から成り、その内部を排水路2cと成し、該排水路2cの前後方の夫々には薄肉で所定幅を有するステンレス製の補強リング６を挿嵌固定している。
【００１８】
排水導管２の前端及び後端は、内装バッグ３及び外装バッグ４より前方及び後方へ若干突出させており、流出口2a周囲には外周面が全体に丸みを帯びたカバーリング７を設けている。
カバーリング７はＡＢＳ樹脂製からなり、図示例では、排水導管２前端に外嵌したカバーリング７の基端の十字方向にボルトを挿通し、該ボルトをナットで締結することにより、排水導管２前端にカバーリング７を一体的に固定しているが、接着剤にて固定しても良い。
【００１９】
内装バッグ３は、気密性及び柔軟性を有するゴム製シートを樽状に形成、具体的には、前後に排水導管２の前後方外周の夫々に弾性的に装着可能な筒口3aを設けた漏斗部3bと、各漏斗部3bの大径部に連続する長尺な円筒状の胴部3cとから成る。
【００２０】
そして、排水導管２を介した補強リング６上の各筒口3a外周には所定径のナイロン糸８を捲回して緊締することにより排水導管２外周に気密性が保持された内装バッグ３が形成される。
尚、各筒口3aと排水導管２とは、上記に限らず、接着等その他の手段によって内装バッグ３の気密性を保持しても良い。
【００２１】
又、内装バッグ３の内側を気密状に区画する排水導管２の管壁において、その後方には、先端が内装バッグ３内部に突入する様に排水路2c内から気密状に挿嵌され、基端が排水路2c内面に沿って流入口2bに指向するＬ字状の管継手９が配置されており、該管継手９の基端に枝管Ｂよりも長尺な可撓性を有するエアホース10の一端を気密状に挿嵌連結し、該エアホース10の他端は、枝管Ｂの排水枡等の上流口（図示せず）近傍の屋外に配置した図示しないエアーポンプに連結される。
【００２２】
外装バッグ４は、引張強さ及び摩擦係数が大きく、透水率が小さくて柔軟性を有するガラス繊維入り不織布などの布製から成り、内装バッグ３を被包する様に収容し、内装バッグ３より大きい樽状（その形状については上記と同様なため説明は省略する。）に形成され、その円筒状の胴部4cの前後に連続して設けた漏斗部4bにおける筒口4aの付け根に締結具11を外嵌し、該締結具11の圧着にて内装バッグ３の筒口3aの付け根を介して排水導管２に括り付けている。
これにより、外装バッグ４は、内装バッグ３の過度の膨張を規制し、その膨張時形状を維持すると共に、内装バッグ３の損傷、破裂などを誘引する突起物などから保護している。
【００２３】
締結具11はステンレス製のホースバンドであり、長さ方向全域にわたって斜め横向きの係合溝12ａを所定ピッチで穿設したバンド12と、該バンド12の一端部上方に軸線がバンド12の長さ方向に合致する様に固定された筒状のハウジング13と、該ハウジング13とバンド12の一端部間に進退自在に挿通されたバンド12の他端側の係合溝12ａに噛合する様にハウジング13に転動自在に内蔵されたウォームギア（図示せず）と、該ウォームギヤの一端よりハウジング13外部に回転自在に突出してその突端面にネジ回しを差し込む十字穴を刻設した操作軸14とから成る。
【００２４】
そして、操作軸14の回動にてハウジング13内のウォームギアを転動させることにより、ウォームギアに噛合するバンド12（係合溝12ａ）を進退させて一周して成るバンド12の輪状の口径を拡縮径自在と成し、バンド12の輪状の縮径による上記圧着にて外装バッグ４を内装バッグ３を介して排水導管２に括り付け、バンド12の輪状の拡径による圧着解除にて排水導管２から離脱可能と成している。
尚、締結具11は、合成樹脂製の結束用バンド（図示せず）であっても良い。
【００２５】
又、外装バッグ４の内面と内装バッグ３外面とは、図示しない両面テープを介して着脱自在に貼着している。
これにより、外装バッグ４は内装バッグ３と一体化でき、該内装バッグ３の膨縮にスリーブ５と共に追従する様に成しており、外装バッグ４の取り外しに際しては、締結具11による圧着解除後、内装バッグ３から引き剥がすことで成し得る。
【００２６】
スリーブ５は外装バッグ４に図示しない両面テープを介して着脱自在に貼着している。
尚、スリーブ５は、合流口Ｃに配した閉塞栓１を膨張させた時に、合流口Ｃと連通口R1の両方を、各内面形状が歪であっても対応して両口Ｃ、R1を水密状に閉塞する様に外装バッグ４外面に貼着したものであるので、図示例の様に、外装バッグ４の胴部4cの外面前方にのみに貼着するのが経済的で望ましいが、胴部4c外面全体を被覆する様に成しても良い。
【００２７】
次に、閉塞栓１の変形例について、図６〜９に基づき説明する。この閉塞栓１は、主に排水導管２と、エアホース10の取付け位置を変更したものであり、その他については上記と基本構造を同様としているので、上記と同一又は相当部分には同じ符号を図面に付し、説明を省略する。
【００２８】
排水導管２は、可撓性を有するステンレス製の蛇腹管から成り、上記のものより強度を向上させている。
【００２９】
そして、内装バッグ３の筒口3aを装着した排水導管２の前後方外周の各襞部には、シリコーン樹脂系のコーキング材や合成ゴム製のパッキン等のシール部材15を入り込ませて装填し、前後の筒口3a外周にナイロン糸８を良好に捲回して緊締できる様にして排水導管２外周に気密性が保持された内装バッグ３を形成している。
【００３０】
又、カバーリング７はその外形を先端に向かうに従い徐々に縮径した弾頭形に形成している。
【００３１】
管継手９は、その先端が内装バッグ３後方の漏斗部3bに突入する様に挿通され、管継手９において内装バッグ３内外側の夫々に螺着した一対のナット9aで内装バッグ３の内外面を気密状に挟持することにより内装バッグ３に固着され、該内装バッグ３より外方突出する管継手９の基端にエアホース10の一端を着脱可能に連結している。
【００３２】
又、外装バッグ４における管継手９の対応部位には、ナット9aを挿通可能な透孔16が穿設されている。
【００３３】
上記の様に構成された閉塞栓１にあっては、老朽化した既設の下水管Ｄ内に挿入した更生管Ｒが下水管Ｄ内壁にライニングされ、枝管Ｂの下水管Ｄとの合流口Ｃに対応して更生管Ｒに連通口R1が開設された状態において使用される。
【００３４】
この使用に際し、閉塞栓１はエアホース10を介してエアポンプに接続されており、内装バッグ３を外装バッグ４とスリーブ５と共に排水導管２に密着する様に収縮させた状態で枝管Ｂの汚水枡等の上流口（図示せず）から投入される。
【００３５】
枝管Ｂ内において、閉塞栓１は、上記の通り内装バッグ３、外装バッグ４及びスリーブ５が収縮して排水導管２を中心に密着した略筒型と化しており、その中心に位置する排水導管２が可撓性を有して蛇行が容易であり、しかも排水導管２前端の前方に突き出るカバーリング７は、外周面が全体に丸みを帯びた外形特性を有しているので、枝管Ｂ内面に生ずる継ぎ目や付着堆積物による凹凸に引っ掛かることなく、先行して閉塞栓１本体を枝管Ｂ下流へと案内できるから、閉塞栓１は難なく枝管Ｂ内を流下し、下流の下水管Ｄとの合流口Ｃに手間無く円滑に到達させられる。
【００３６】
そして、合流口Ｃ内に閉塞栓１を配置させた状態で、内装バッグ３にエアポンプから空気を供給し、その外側の外装バッグ４とスリーブ５と共に膨張させる。
すると、外装バッグ４外周に設けた厚み方向に弾性を有するスリーブ５は、例え合流口Ｃ及び連通口R1が歪に開口していても夫々の内面形状に対応して変形し圧着されるため、合流口Ｃ及び連通口R1を隙間無く水密状に閉塞する。
【００３７】
これにより、下水管Ｄと更生管Ｒとの間隙Ｓを枝管Ｂと水密状に隔絶でき、その間隙Ｓへの下水の浸入を阻止できる。
【００３８】
したがって、次工程である上記間隙Ｓへのグラウト材注入作業を支障なく進行でき、下水管Ｄに更生管Ｒを一体的に接着できると共に、排水導管２の排水路2cによって枝管Ｂと下水管Ｄ内にライニング中の更生管Ｒとが連通して枝管Ｂからの排水を前記グラウト材注入作業からグラウト材の硬化までの間も留めることなく継続できる。
【００３９】
間隙Ｓに注入されたグラウト材が硬化して、該グラウト材を介して下水管Ｄが更生管Ｒと一体化してライニングが完了した作業終了後において、閉塞栓１を回収するにあたっては、エアポンプによって内装バッグ３内の空気を吸引排気する。
【００４０】
この時、外装バッグ４は内装バッグ３に両面テープを介して一体的に貼着されているので、内装バッグ３の収縮にスリーブ５と共に追従できるから、閉塞栓１の枝管Ｂへの投入時と同様に内装バッグ３等を排水導管２に密着する様に収縮させられるので、速やかで円滑な回収作業が行える。
【００４１】
そして、閉塞栓１の回収後において、操作軸14をネジ回しを用いて回動することにより、ハウジング13内のウォームギアを転動させて、バンド12による外装バッグ４に対する圧着を解除すると共に、両面テープと共に外装バッグ４を内装バッグ３から剥がすことで、閉塞栓１から外装バッグ４をスリーブ５と共に取り外し、新規な外装バッグ４を内装バッグ３に取り付ければ、閉塞栓１の再使用が可能である。
【００４２】
又、外装バッグ４の継続使用が可能で、スリーブ５を廃棄する場合には、該スリーブ５を両面テープと共に外装バッグ４から剥ぎ取り、新規なスリーブ５を外装バッグ４に取り付ければ良い。
【符号の説明】
【００４３】
２  排水導管
2a  流出口
2b  流入口
３  内装バッグ
４  外装バッグ
５  スリーブ
７  カバーリング
【図１】
2018128092.tif 000003
【図２】
2018128092.tif 000004
【図３】
2018128092.tif 000005
【図４】
2018128092.tif 000006
【図５】
2018128092.tif 000007
【図６】
2018128092.tif 000008
【図７】
2018128092.tif 000009
【図８】
2018128092.tif 000010
【図９】
2018128092.tif 000011
【図１０】
2018128092.tif 000012